(57)【要約】【課題】スライドショー表示機能により再生を行う際に、撮影前に行った電子ズーム操作情報を保存し、この電子ズーム操作情報を用いてスライドショーのズーム効果を行うことで、撮影者の意図が反映された、撮影画角外もズーム効果可能な撮像装置を提供すること。【解決手段】スライドショー再生時、ユーザーの意図したズーム効果を得るため、ユーザーが行った電子ズーム情報と電子ズームをしていない広角側の全体画像とを関連づけて保存する。【選択図】図２
2015167309.tif 000002
【特許請求の範囲】
【請求項１】
ユーザーが電子ズームを行う電子ズーム手段と、
前記電子ズームを使用して静止画を撮影する際、電子ズーム行った画角の外の画角も含めた、電子ズーム広角側の画像を記録する広角側画像記録手段と、
静止画撮影前にユーザーが電子ズームを操作した電子ズーム操作情報を撮影画像に関連づけて記録する電子ズーム操作情報記録手段と、
撮影した複数の画像を選択して表示する通常再生手段と、
撮影した複数の画像に効果をつけ順に再生するスライドショー再生手段とを有し、
前記通常再生手段により再生する際には、前記広角側画像記録手段により記録した画像と前記電子ズーム操作情報記録手段により記録された電子ズーム操作情報を利用して撮影時に電子ズームを行った画角の画像を表示し、
前記スライドショー再生手段によりスライドショー再生を行う際には、前記広角側画像記録手段により記録した画像と前記電子ズーム操作情報記録手段により記録された電子ズーム操作情報を利用して電子ズームを行う前の画角の画像を表示し、
撮影時にズームを行ったようなズーム効果を用いて表示することを特徴とする撮像装置。
【請求項２】
前記電子ズーム情報は、電子ズーム開始及び停止時の時間、電子ズーム開始及び停止時の倍率、望遠方向もしくは広角方向の電子ズーム方向、電子ズーム中心位置座標、電子ズーム速度の少なくとも１つ以上の情報であることを特徴とする請求項１に記載の撮像装置。
【請求項３】
前記電子ズームの速度はユーザーが任意に可変可能であることを特徴とする請求項１又は請求項２に記載の撮像装置。
【請求項４】
ユーザーが撮像装置を動かすことにより、大きく画角が変わってしまった場合は電子ズーム情報をリセットすることを特徴とする請求項１乃至請求項３の何れか一項に記載の撮像装置。
【請求項５】
広角側から望遠側方向への電子ズーム及び望遠側から広角側方向への電子ズームを連続して行った場合、スライドショー再生時は広角側から望遠側へもしくは望遠側から広角側への一方向のみの画角移動にとなるようなズーム効果とすることを特徴とする請求項１乃至請求項４の何れか一項に記載の撮像装置。
【請求項６】
広角側から望遠側方向への電子ズーム及び望遠側から広角側方向への電子ズームを連続して行った場合、スライドショー再生時は広角側から望遠側へもしくは望遠側から広角側への一方向のみの画角移動にとなるように電子ズーム情報を変更することを特徴とする請求項１乃至請求項５の何れか一項に記載の撮像装置。
【請求項７】
電子ズームの際、画角の中心への電子ズームだけでなく、画角の中心以外へのズームも可能であることを特徴とする請求項１乃至請求項６の何れか一項に記載の撮像装置。
【請求項８】
撮影時、電子ズーム動作と電子ズーム動作の間が一定時間以上経過した場合、スライドショー再生時はズーム効果とズーム効果の間を短くなるようなズーム効果とすることを特徴とする請求項１乃至請求項７の何れか一項に記載の撮像装置。
【請求項９】
撮影時、電子ズーム動作と電子ズーム動作の間が一定時間以上経過した場合、スライドショー再生時はズーム効果とズーム効果の間を短くなるような電子ズーム情報に変更することを特徴とする請求項１乃至請求項８の何れか一項に記載の撮像装置。
【請求項１０】
加速度センサーもしくはジャイロセンサーを有し、電子ズーム前後で、画角の中心がずれた場合、前記加速度センサーもしくはジャイロセンサーからの信号を用いてずれ量を計算し、スライドショー再生時にズーム前画角をずれ量分、画角を補正することを特徴とする請求項１乃至請求項９の何れか一項に記載の撮像装置。
【請求項１１】
加速度センサーもしくはジャイロセンサーを有し、電子ズーム撮影時にユーザーが撮像装置を動かすことによりチルト及びパンが行われた場合、前記加速度センサーもしくはジャイロセンサーの信号から算出したチルト及びパンの情報を画像と関連づけて保存し、前記チルト及びパン情報を使用し、チルト及びパンを行ったようなスライドショー効果を用いて表示することを特徴とする請求項１乃至請求項１０の何れか一項に記載の撮像装置。
【発明の詳細な説明】
【技術分野】
【０００１】
本発明は、カメラ、ビデオカメラ等の撮像装置に関するものである。
【背景技術】
【０００２】
パソコンやデジタルカメラ等の画像表示可能な装置において、静止画に動きや音楽や切り替え効果を加え、画面上に静止画を表示するスライドショー表示機能がある。このスライドショー表示機能により再生を行う際、静止画の動きの効果として撮影もとの静止画からズームを行う効果がある。ズームを行う効果の場合、中心部分をズームインすると撮影者の意図しない被写体にズームすることがあった。また、ズームして撮影した画像であるとさらにズームすることになり、不自然な効果となってしまうことがあった。さらに、撮影画角より外側の部分は再生できないという問題があった。
【０００３】
一方、ユーザーが再生時に意図した効果をだすため、動画で撮影することも可能だが、撮影者が意識して撮影しなければならなかったり、メモリの容量が静止画よりも多く必要になったりしてしまう。
【０００４】
そこで、撮影時に画像と結びつけてメモリに保存した撮影情報から、スライドショー再生時にその撮影情報に対応した、予め用意された再生画像の動きを行う撮像装置が提案されている（特許文献１）。
【先行技術文献】
【特許文献】
【０００５】
【特許文献１】特開2006-54523号公報
【発明の概要】
【発明が解決しようとする課題】
【０００６】
しかしながら、上記特許文献１において、撮影情報とは距離情報、合焦位置、撮影条件設定の集合セットであり、スライドショー時、撮影情報に対応した、あらかじめ用意された動作しか行わないため、自由度に欠け、撮影者の意図が反映されにくい。例えば、同じ撮影情報を持つ画像は同じ効果になってしまうといった課題があった。
【０００７】
また、ズーム効果の場合、ユーザーにより撮影された画角より外側の部分は再生できないといった課題があった。
【０００８】
本発明は、上記課題を解決するためになされたものであり、スライドショー表示機能により再生を行う際に、撮影前に行った電子ズーム操作情報を保存し、この電子ズーム操作情報を用いてスライドショーのズーム効果を行うことで、撮影者の意図が反映された、撮影画角外もズーム効果可能な撮像装置を提供することを目的とする。
【課題を解決するための手段】
【０００９】
本発明の撮像装置はユーザーが電子ズームを行う電子ズーム手段と、
前記電子ズームを使用して静止画を撮影する際、電子ズーム行った画角の外の画角も含めた、電子ズーム広角側の画像を記録する広角側画像記録手段と、
静止画撮影前にユーザーが電子ズームを操作した電子ズーム操作情報を撮影画像に関連づけて記録する電子ズーム操作情報記録手段と、
撮影した複数の画像を選択して表示する通常再生手段と、
撮影した複数の画像に効果をつけ順に再生するスライドショー再生手段とを有し、
前記通常再生手段により再生する際には、前記広角側画像記録手段により記録した画像と前記電子ズーム操作情報記録手段により記録された電子ズーム操作情報を利用して撮影時に電子ズームを行った画角の画像を表示し、
前記スライドショー再生手段によりスライドショー再生を行う際には、前記広角側画像記録手段により記録した画像と前記電子ズーム操作情報記録手段により記録された電子ズーム操作情報を利用して電子ズームを行う前の画角の画像を表示し、
撮影時にズームを行ったようなズーム効果を用いて表示することを特徴とする。
【発明の効果】
【００１０】
本発明によれば、動画記録ほど記録媒体の記録容量を必要とせず、撮像装置でのスライドショー再生時、ユーザーの意図した自由度の高いズーム効果が可能になる。
【図面の簡単な説明】
【００１１】
【図１】本発明による撮像装置の実施形態を示す図である。
【図２】本実施例における撮影、通常再生、スライドショー再生のフローを示すフローチャートである。
【図３】本実施例におけるスライドショー再生時のズーム効果の一例を示す図である。
【図４】本実施例における電子ズーム情報の一例を示す図である。
【図５】本実施例における撮影時に画角の中心がずれた場合のスライドショー再生時のズーム効果の一例を示す図である。
【図６】本実施例におけるスライドショー再生時のチルト効果の一例を示す図である。
【図７】本実施例におけるスライドショー再生時のパン効果の一例を示す図である。
【発明を実施するための形態】
【００１２】
以下、本発明を実施するための最良の形態について図面等を参照して説明する。
【００１３】
なお、以下の説明では、具体的な数値、構成、動作等を示して説明を行うが、これらは、適宜変更することができる。
【実施例１】
【００１４】
図１は、本発明による撮像装置の第１実施形態の構成を示す図である。
【００１５】
撮像装置１００は、デジタルカメラやデジタルビデオカメラ等であり、レンズ鏡筒に含まれる撮影レンズ１０により得られる被写体像を撮像素子１４の撮像面に結像させて撮像する。
【００１６】
撮影レンズ１０は、不図示の複数の光学レンズからなり、焦点距離を変更するズーム機構と、焦点位置を移動させるフォーカス機構とを有している。撮影レンズ１０と撮像素子１４との間には、絞り機能を備えるシャッター１２が設けられている。
【００１７】
撮像素子１４は、光学像を電気信号に変換する光電変換手段である。
【００１８】
Ａ／Ｄ変換器１６は、撮像素子１４のアナログ信号出力をデジタル信号に変換する。
【００１９】
タイミング発生回路１８は、撮像素子１４、Ａ／Ｄ変換器１６、Ｄ／Ａ変換器２６にクロック信号や制御信号を供給する。
【００２０】
画像処理回路２０は、Ａ／Ｄ変換器１６からのデータ又はメモリ制御回路２２からのデータに対して所定の画素補間処理や色変換処理を行う。また、画像処理回路２０によって撮影画像から必要な撮影範囲を切り出し、拡大処理を行うことで倍率を変化させる電子ズームが実現される。さらに、画像処理回路２０は、撮像した画像データを用いて所定の演算処理を行う。この演算処理により得られた演算結果に基づいてシステム制御回路５０が露光制御部４０、フォーカス制御部４２に対して制御を行う。
【００２１】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６が出力したデジタルデータは、画像処理回路２０、メモリ制御回路２２を介して、又は、Ａ／Ｄ変換器１６から直接メモリ制御回路２２を介して、画像表示メモリ２４又はメモリ３０に書き込まれる。
【００２３】
画像表示部２８は、ＴＦＴ−ＬＣＤ（Thin Film Transistor-Liquid Crystal Display）等から成る。画像表示部２８は、画像表示メモリ２４に書き込まれた表示用の画像データをメモリ制御回路２２及びＤ／Ａ変換器２６を介して表示する。
【００２４】
画像表示部２８を用いて撮像した画像データを逐次表示すれば、電子ファインダ（ＥＶＦ：Electronic View Finder）機能を実現することが可能である。
【００２５】
メモリ３０は、撮影した静止画像や動画像を格納する記憶部であり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０は、システム制御回路５０の作業領域としても使用することが可能である。
【００２６】
圧縮・伸長回路３２は、適応離散コサイン変換（ＡＤＣＴ：Adaptive Discrete Cosine Transform）等により画像データの圧縮伸長を行う。圧縮・伸長回路３２は、メモリ３０に格納された画像を読み込んで圧縮処理又は伸長処理を行い、処理を終えたデータをメモリ３０に書き込む。
【００２７】
露光制御部４０は、露光条件に基づいてシャッター１２を制御し、撮像した画像データを画像処理回路２０で所定の演算を行い、得られた演算結果に基づいて、ＡＥ（自動露出）処理を行っている。
【００２８】
フォーカス制御部４２は、撮影レンズ１０のフォーカシング動作を制御する。
【００２９】
ズーム制御部４４は、撮影レンズ１０のズーミングを制御する。
【００３０】
バリア制御部４６は、いわゆるレンズバリアである保護部１０２の動作を制御する。
【００３１】
フラッシュ４８は、暗い場所などで光量を補うために発光を行う閃光発光部であり、ＡＦ補助光の投光機能、フラッシュ調光機能も有する。
【００３２】
システム制御回路５０は、撮像装置１００全体を制御する制御部であり、マイクロコンピュータによって構成されている。
【００３３】
メモリ５２は、システム制御回路５０の動作用の定数、変数、プログラム等を記憶する。
【００３４】
表示部５４は、システム制御回路５０でのプログラムの実行に応じて、文字、画像、音声等を用いて動作状態やメッセージ等を表示する。
【００３５】
不揮発性メモリ５６は、電気的に消去・記録可能な不揮発性記憶手段である。
【００３６】
モードダイアルスイッチ６０、シャッタースイッチ６２，６４、画像表示ＯＮ／ＯＦＦスイッチ６６、単写／連写スイッチ６８、及び操作部７０は、システム制御回路５０の各種の動作指示を入力するための操作手段である。
【００３７】
シャッタースイッチ６４は、不図示のシャッターボタンの操作完了のいわゆる全押し状態でＯＮとなるスイッチ（ＳＷ２）である。シャッタースイッチ６４（ＳＷ２）がＯＮすることにより、システム制御回路５０が露光処理、現像処理、記録処理という一連の処理の動作開始を指示する。
【００３８】
この露光処理では、撮像素子１４から読み出した信号をＡ／Ｄ変換器１６、メモリ制御回路２２を介してメモリ３０に画像データを書き込む。
【００３９】
また、現像処理では、画像処理回路２０やメモリ制御回路２２での演算を行う。
【００４０】
さらに、記録処理では、メモリ３０から画像データを読み出し、圧縮・伸長回路３２で圧縮を行い、記録媒体２００に画像データを書き込む。
【００４１】
単写／連写スイッチ６８は、シャッタースイッチ６４（ＳＷ２）がＯＮした場合に１駒の撮影を行って待機状態とする単写モードと、シャッタースイッチ６４（ＳＷ２）がＯＮしている間は連続して撮影を行い続ける連写モードとを設定することができる。
【００４２】
操作部７０は、各種ボタンやタッチパネル等からなる。
【００４３】
電源制御手段８０は、電池検出回路、ＤＣ−ＤＣコンバータ、通電するブロックを切り換えるスイッチ回路等により構成されている。
【００４４】
コネクタ８２、８４は、撮像装置１００の内部と電池収容部に収容された電池又はＡＣアダプター等の電源８６とを接続する。
【００４５】
電源８６は、アルカリ電池やリチウム電池等の一次電池やＮｉＣｄ電池やＮｉＭＨ電池、Ｌｉ電池等の二次電池、ＡＣアダプター等である。
【００４６】
インタフェース９０は、メモリカードやハードディスク等の記録媒体２００との接続を仲介する。
【００４７】
コネクタ９２は、メモリカードやハードディスク等の記録媒体２００との接続を行う。
【００４８】
記録媒体着脱検知手段９８は、コネクタ９２に記録媒体２００が装着されているか否かを検知する。
【００４９】
光学ファインダ１０４は、画像表示部２８による電子ファインダ機能を使用すること無しに、光学像のみを用いて構図確認を行うことが可能である。
【００５０】
記録媒体２００は、メモリカードやハードディスク等である。記録媒体２００は、半導体メモリや磁気ディスク等から構成される記録部２０２と、撮像装置１００とのインタフェース２０４と、撮像装置１００と接続を行うコネクタ２０６とを備えている。
【００５１】
１５０は、音声を録音するためのマイク、１５５は録音された音声、もしくはあらかじめ装置内に格納された音声を再生するためのスピーカ、１６０はマイク１５０から入力された音声を装置に最適なレベル、形式にアナログデジタル変換し送出し、また装置から出力された音声データをデジタルアナログ変換しスピーカ１５５に送出するための音声アナログデジタル変換装置である。
【００５２】
図２（ａ）は本発明の撮像装置１００において、撮影時、広角側画像と電子ズーム情報を関連づけて保存する場合のフローチャートである。
【００５３】
まず、ステップ（以下、Ｓとする）２００では、ユーザーにより撮影モードに切り替えられる。
【００５４】
Ｓ２０１では、電子ズーム操作を行った場合はＳ２０２へ進み、電子ズーム情報を一時的に保存する。
【００５５】
Ｓ２０１にて、電子ズーム操作を行わなかった場合はＳ２０６へ進み、Ｓ２０６では、ユーザーによりＳＷ２が押されていない場合は、Ｓ２０１へ戻り、ＳＷ２が押された場合は、Ｓ２０７へ進む。
【００５６】
Ｓ２０３では、ユーザーによりＳＷ２が押されていない場合は、Ｓ２０１へ戻り、ＳＷ２が押された場合は、Ｓ２０４へ進む。
【００５７】
Ｓ２０４では、撮影が行われる。
【００５８】
Ｓ２０５では、電子ズームを行っていない広角側画像とＳ２０２で一時保存した電子ズーム情報を関連づけて保存する。
【００５９】
Ｓ２０７では、撮影が行われる。
【００６０】
Ｓ２０５では、通常の画像が保存される。
【００６１】
図２（ｂ）は本発明の撮像装置１００において、広角側画像と関連付けて保存した電子ズーム情報を用いてスライドショー再生を行う場合のフローチャートである。
【００６２】
まず、Ｓ２１０では、ユーザーによりスライドショー再生モードに切り替えられる。
Ｓ２１１では、画像に電子ズーム情報がある場合は、Ｓ２１２へ進み、画像に電子ズーム情報がない場合は、Ｓ２１４へ進む。
【００６３】
Ｓ２１２では、電子ズームを行っていない広角側の画像が表示され、画像と関連付けて保存されたズーム情報を用いて表示されている画像にズーム効果が行われる。
【００６４】
Ｓ２１４では、画像が通常表示される。
【００６５】
このフローチャートでは１枚の画像に対しての例であるが、複数枚画像がある場合はユーザーによる設定により、複数枚画像を連続でスライドショー再生行うことや１枚あたりの画像の表示秒数、繰り返し回数等の設定を行うことができる。
【００６６】
図２（ｃ）は本発明の撮像装置１００において、広角側画像と関連付けて保存した電子ズーム情報を用いて通常再生を行う場合のフローチャートである。
【００６７】
まず、Ｓ２１５では、ユーザーにより通常再生モードに切り替えられる。
【００６８】
Ｓ２１６では、画像に電子ズーム情報がある場合は、Ｓ２１７へ進み、画像に電子ズーム情報がない場合は、Ｓ２１８へ進む。
【００６９】
Ｓ２１７では、画像と関連付けて保存されたズーム情報を用いて撮影時の電子ズームを行った画角の画像が表示される。
【００７０】
Ｓ２１８では、広角側画像表示される。
【００７１】
次に、撮影時の保存画像とズーム効果の詳細について説明する。まず、図３（ａ）〜（ｃ）は撮影時の画角の変化の様子の一例を示す図である。撮影する際にユーザーが（ａ）→（ｂ）→（ｃ）の順番で電子ズームを行い、（ｃ）の時に撮影を行ったとする。ここでは例として（ａ）→（ｂ）は２倍ズーム、（ｂ）→（ｃ）は４倍ズームが行われたとする。撮影時の撮像装置表示部には図３（ａ）、（ｂ）、（ｃ）上の実線の四角で囲まれた部分の画像が表示される。（ｃ）において、ユーザーが撮影すると、電子ズーム情報と点線の広角側画像とが関連付けて保存され、これは、図２（ａ）のＳ２０４〜Ｓ２０５に対応する。
【００７２】
図３（ｄ）は通常再生時の画像表示の一例を示す図である。（ｃ）の広角側画像と関連付けて保存された電子ズーム情報を用いて、撮影時に表示部に表示された画角の画像と同じ、（ｃ）の実線の四角で囲まれた部分の画像が表示される。例として、ここでは、倍率が４倍された画像が表示される。
【００７３】
図３（ｅ）〜（ｇ）はスライドショー再生時のズーム効果の一例を示す図である。（ｅ）で表示されるのは保存した（ｃ）の広角側画像が表示され、この画像と関連付けて保存された電子ズーム情報を用いて（ｆ）、（ｇ）のようなズーム効果が行われる。ここでは例として、撮影時に行われた（ｂ）の２倍ズーム、（ｃ）の４倍ズームに対応してそれぞれ（ｆ）は２倍ズーム、（ｇ）は４倍ズームのズーム効果が行われる。これは、図２（ｂ）においてＳ２１２〜Ｓ２１３に対応する。スライドショー再生時に表示される画像は静止画であるが、あたかも撮影時の撮像装置表示部に表示された映像を見ているようなズーム効果が得られる。撮影者が意図的に電子ズームを行えば、スライドショー再生時に意図したズーム効果を行える。
【００７４】
図４に画像と関連付けて保存される電子ズーム情報の一例を示す。電子ズーム情報は、例えば、ズーム開始及び停止時の時間、ズーム開始及び停止時の倍率、望遠方向（T）もしくは広角方向（W）のズーム方向、ズーム中心位置座標、ズーム速度等の情報である。これらの情報は、図２（ａ）Ｓ２０５で画像と関連付けて記録媒体へ保存され、図２（ｂ）Ｓ２１３でスライドショー再生のズーム効果で使用される。
【００７５】
本実施形態において、ズーム中心位置を指定して電子ズームすれば、画角の中心以外にも電子ズーム可能であり、必ずしも中心への電子ズームに場合に限るものではない。また、図３は広角側から望遠側へのズームの例であるが、望遠側から広角側へのズームでもズーム効果は得られる。さらに、広角側から望遠側へのズーム及び望遠側から広角側へのズームの組み合わせでも可能である。
【００７６】
ユーザーが撮像装置を動かすことにより、大きく画角が変わってしまった場合は電子ズーム情報をリセットしてもよい。画角が変わったことを検知する方法は、加速度センサー、ジャイロセンサーを用いてもよい。また、撮像装置が動く前後の画像の差分をとることにより、画角が変わったことを検知してもよい。
【００７７】
広角側から望遠側方向への電子ズーム及び望遠側から広角側方向への電子ズームを連続して行った場合、スライドショー再生時は広角側から望遠側へもしくは望遠側から広角側への一方向のみの画角移動にとなるようなズーム効果としてもよい。また、電子ズーム情報記録時に一方向のみの画角移動にとなるような電子ズーム情報に変更してもよい。
【００７８】
撮影時、電子ズーム動作と電子ズーム動作の間が一定時間以上経過した場合、スライドショー再生時はズーム効果とズーム効果の間を短くなるようなズーム効果としてもよい。また、電子ズーム情報記録時にズーム効果とズーム効果の間を短くなるような電子ズーム情報に変更してもよい。
【００７９】
以上説明したように、第１実施形態によれば、動画記録ほど記録媒体の記録容量を必要とせず、撮像装置でのスライドショー再生時、ユーザーの意図した自由度の高いズーム効果が可能になる。
【００８０】
（第２実施形態）
次に、本発明による撮像装置の第２実施形態について説明する。
【００８１】
なお、前述した第１実施形態と同様の機能を果たす部分には、同一の符号を付して、重複する説明を適宜省略する。
【００８２】
第２実施形態の撮像装置において電子ズーム前後で、画角の中心がずれた場合について説明する。第２実施形態における撮像装置は加速度センサーもしくはジャイロセンサーを有する。撮影時、電子ズームを行う前後で、ユーザーが撮像装置を動かし、画角の中心がずれた場合、加速度センサーもしくはジャイロセンサーからの信号を用いて画角のずれ量を計算し、画角のずれ情報を撮影画像及び電子ズーム情報と関連づけて保存する。
【００８３】
スライドショー再生時、保存した画角のずれ情報を用いて電子ズーム前の画角をずれ量分、画角を補正し、ズーム効果を用いて表示する。
【００８４】
図５（ａ）は撮影時に電子ズームを行う前後で画角の中心がずれた場合の一例を示す図である。図中の点線は電子ズーム広角側の画角であり、撮影時に電子ズーム情報と画角のずれ情報と関連付けて保存される。一点鎖線は電子ズーム前の倍率２倍の画角を示しており、実線は電子ズーム後の倍率４倍の画角を示している。電子ズーム前の画角から電子ズーム後の画角へ電子ズームする際に画角の中心がずれており、加速度センサーもしくはジャイロセンサーからの信号から計算された画角のずれ情報は撮影画像及び電子ズーム情報と関連づけて保存される。
【００８５】
図５（ｂ）、（ｃ）はスライドショー再生時のズーム効果の一例を示す図である。（ｂ）はスライドショー再生開始時の表示であり、（ｃ）は（ｂ）の画角からズーム効果が行われた時の表示である。保存した画角のずれ情報を基にズームの中心位置が変化し、再生される。
【００８６】
第２実施形態によれば、加速度センサーもしくはジャイロセンサーからの信号を用いて画角のずれ量を計算し、画角のずれ情報を撮影画像及び電子ズーム情報と関連づけて保存することにより、第１実施形態により得られる効果に加えて、電子ズーム前後で、画角の中心がずれた場合でも、違和感なくズーム効果を行うことができる。
行える。
【００８７】
（第３実施形態）
次に、本発明による撮像装置の第３実施形態について説明する。
【００８８】
なお、前述した第１実施形態と同様の機能を果たす部分には、同一の符号を付して、重複する説明を適宜省略する。
【００８９】
第３実施形態において撮像装置の電子ズーム撮影時にユーザーが撮像装置を動かすことによりチルト及びパンが行われた場合について説明する。第３実施形態における撮像装置は加速度センサーもしくはジャイロセンサーを有する。電子ズーム撮影時にユーザーが撮像装置を動かすことによりチルト及びパンが行われた場合、加速度センサーもしくはジャイロセンサーの信号から算出したチルト及びパン情報を広角側画像と関連づけて保存する。チルト及びパン情報を使用し、チルト及びパンを行ったようなスライドショー効果を用いて表示する。
【００９０】
図６（ａ）は電子ズーム撮影時にユーザーが撮像装置を動かすことによりチルトが行われた場合の一例を示す図である。
【００９１】
図中の点線は電子ズーム広角側の画角であり、撮影時に電子ズーム情報とチルト情報と関連付けて保存される。一点鎖線はチルトを行う前の画角を示しており、実線はチルトを行った後の画角を示している。
【００９２】
図６（ｂ）（ｃ）（ｄ）はスライドショー再生時のチルト効果の一例を示す図である。（ｂ）はスライドショー再生開始時の表示であり、（ｃ）は（ｂ）の画角からチルト効果が行われた時の表示であり、（ｃ）は（ｂ）の画角からチルト効果が行われた時の表示である。保存したチルト情報を基に表示される画角が変化し、再生される。
【００９３】
図７（ａ）は電子ズーム撮影時にユーザーが撮像装置を動かすことによりパンが行われた場合の一例を示す図である。
【００９４】
図中の点線は電子ズーム広角側の画角であり、撮影時に電子ズーム情報とパン情報と関連付けて保存される。一点鎖線はパンを行う前の画角を示しており、実線はパンを行った後の画角を示している。
【００９５】
図７（ｂ）（ｃ）（ｄ）はスライドショー再生時のパン効果の一例を示す図である。（ｂ）はスライドショー再生開始時の表示であり、（ｃ）は（ｂ）の画角からパン効果が行われた時の表示であり、（ｃ）は（ｂ）の画角からパン効果が行われた時の表示である。保存したパン情報を基に表示される画角が変化し、再生される。
【００９６】
ここで、チルト、パン及びズームが同時に行われた場合は、これらの情報を保存し、スライドショー再生時はこれらを組み合わせた効果となる。
【００９７】
第３実施形態によれば、加速度センサーもしくはジャイロセンサーからの信号を用いて画角のチルト及びパン情報を計算し、広角側画像及び電子ズーム情報と関連づけて保存することにより、第１実施形態により得られる効果に加えて、チルト及びパン情報を使用して、チルト及びパンを行ったようなスライドショー効果を行うことができる。
【００９８】
なお、第１実施形態〜第３実施形態は、適宜組み合わせて用いることもできるが、詳細な説明は省略する。また、本発明は以上説明した各実施形態によって限定されることはない。
【符号の説明】
【００９９】
１４    撮像素子
２０    画像処理回路
２８    画像表示部
５４    表示部
６０    モードダイアルスイッチ
７０    操作部
１００  撮像装置
【図１】
2015167309.tif 000003
【図２】
2015167309.tif 000004
【図３】
2015167309.tif 000005
【図４】
2015167309.tif 000006
【図５】
2015167309.tif 000007
【図６】
2015167309.tif 000008
【図７】
2015167309.tif 000009